(57)【要約】  プロセス制御送信機（１２）用のソフトウェア的に回転可能なコンテンツレイアウト（３０）を有するディスプレイアセンブリ（１０）。アセンブリ（１０）は、回転可能なコンテンツレイアウト（３０）を複数の構成で表示するように構成された表示画面（１４）と、表示画面（１４）の一側の近傍に固定的に配置された少なくとも１つの物理的ボタン（１６）とを有する。一実施形態では、ディスプレイレイアウト（３０）は、少なくとも１つのラベル（２４）が表示画面（１４）の一側の近傍の物理ボタン（１６）に視覚的に結び付けられるように、少なくとも１つのラベル（２４）を表示するために確保された上側周辺バンドおよび下側周辺バンドと、少なくとも１つのラベル（２４）に接続するインジケータを表示するために確保された右側バンドおよび左側バンドと、追加のテキストを表示するために確保された第３の内部領域とを備える。ディスプレイ（１４）は、少なくとも１つのラベル（２４）が複数の構成の各々において少なくとも１つの物理的ボタン（１６）に視覚的に結び付けられるように、コンテンツを閲覧方向に維持するために回転可能である。
2022500701.tif 000002
【特許請求の範囲】
【請求項１】
プロセス制御送信機用のディスプレイアセンブリであって、
ソフトウェア的に回転可能な表示レイアウトであって、複数の構成を有する表示レイアウトを有する表示画面と、
前記表示画面に対して固定位置に配置された少なくとも１つの物理的ボタンと、
を備え、
前記表示レイアウトは、少なくとも１つのラベルを表示するために確保された第１の領域と、前記少なくとも１つのラベルに接続されたインジケータを表示するために確保された第２の領域と、追加のテキストを表示するために確保された第３の領域と、を含み、
前記表示レイアウトは、前記表示レイアウトの前記複数の構成のそれぞれにおいて、少なくとも１つのラベルが少なくとも１つの物理的ボタンに視覚的に結び付けられるように、コンテンツを選択された閲覧方向に維持するために回転可能である、ディスプレイアセンブリ。
【請求項２】
前記第１の領域は、前記表示画面の第１の対向縁部対に位置する２つの周辺バンドを含み、前記第２の領域は、前記表示画面の第２の対向縁部対に位置する２つの周辺バンドを含み、前記第２の対向縁部対の縁部は、前記表示画面の前記第１の対向縁部対の縁部に隣接している、請求項１に記載のディスプレイアセンブリ。
【請求項３】
前記第２の領域の周辺バンドの幅は、前記第１の領域の周辺バンドの幅よりも小さい、請求項２に記載のディスプレイアセンブリ。
【請求項４】
前記第１の領域の前記周辺バンドは、前記少なくとも１つのラベルを表示するように構成され、前記第２の領域の前記周辺バンドは、前記少なくとも１つのラベルに接続された前記インジケータを表示するように構成される、請求項２に記載のディスプレイアセンブリ。
【請求項５】
前記第１の領域は、上側周辺バンドと下側周辺バンドとを含み、前記第２の領域は、右側バンドと左側バンドとを含み、前記少なくとも１つのラベルは、前記上側または下側周辺において視認可能であり、前記ラベルの前記インジケータは、前記少なくとも１つのラベルが前記物理的ボタンに視覚的に結び付けられるように、前記右側バンドまたは前記左側バンドにおいて視認可能である、請求項１に記載のディスプレイアセンブリ。
【請求項６】
前記複数の表示レイアウトの各表示レイアウトは、前記第１の領域において視認可能な少なくとも１つのラベルと、前記第２の領域において視認可能なインジケータとを含み、前記ラベルは、前記ボタンの機能を識別するために、少なくとも１つの物理的ボタンに視覚的に結び付けられる、請求項１に記載のディスプレイアセンブリ。
【請求項７】
前記第１の領域および前記第３の領域の表示コンテンツのうちの少なくとも１つは、前記コンテンツが、前記複数のレイアウトのそれぞれにおいて、前記表示画面の位置方向に対して縦方向および左から右向きで読み取り可能であるように、前記閲覧方向に対して縦方向に位置決めされる、請求項１に記載のディスプレイアセンブリ。
【請求項８】
前記ディスプレイアセンブリは、前記プロセス制御送信機の電子回路基板に接続可能である、請求項１に記載のディスプレイアセンブリ。
【請求項９】
前記ボタンは、前記装置の前記表示画面と同じ面上の、前記表示画面の近傍に配置される、請求項１に記載のディスプレイアセンブリ。
【請求項１０】
前記ボタンは、前記装置の前記表示画面とは異なる面上の、前記表示画面の近傍に配置される、請求項１に記載のディスプレイアセンブリ。
【請求項１１】
１つ以上の物理的ボタンにラベルを提供するためのディスプレイアセンブリを有するプロセス制御送信機であって、
前記送信機に固定的に取り付けられ、前記送信機のための制御プログラムに動作可能に接続されたディスプレイアセンブリを備え、前記ディスプレイアセンブリが、
複数の向きに回転可能な視覚的レイアウトを提供するように構成された表示画面であって、前記視覚的レイアウトが１つ以上のラベルおよび情報コンテンツを表示するように構成される、表示画面と、
前記送信機上に支持された１つ以上の物理的ボタンであって、前記物理的ボタンの各々が、ラベルおよびボタンが協働してユーザが前記送信機と対話することを可能にするように、前記表示画面上の１つ以上のラベルのうちの１つに視覚的に結び付けられる、１つ以上の物理的ボタンと、
を備え、
前記視覚的レイアウトは、前記表示画面上に表示される前記１つ以上のラベルが、前記送信機の位置方向にかかわらず、前記１つ以上の物理的なボタンのうちの１つにそれぞれ視覚的に結び付けられるように、前記送信機の位置方向に基づいて変更可能である、
プロセス制御送信機。
【請求項１２】
前記表示画面は、周辺表示領域と、コンテンツを表示するための中央表示領域と、を備える、請求項１１に記載の送信機。
【請求項１３】
前記周辺表示領域は、その中に前記１つ以上のラベルを表示するように構成される、請求項１２に記載の送信機。
【請求項１４】
前記１つ以上のラベルの各々は、前記ラベルを前記物理的ボタンに視覚的に結び付けるためのインジケータを備える、請求項１１に記載の送信機。
【請求項１５】
前記表示画面は、少なくとも１つの物理的ボタンの位置に対して固定され、前記視覚的レイアウトは、前記少なくとも１つの物理的ボタンへの少なくとも１つのラベルの視覚的結び付きを維持するために、ソフトウェアを介して回転可能である、請求項１１に記載の送信機。
【請求項１６】
前記表示画面は、少なくとも１つのラベルの表示のために確保された上側周辺および下側周辺を含み、さらに、少なくとも１つのラベルに視覚的に結び付けられた前記ボタンの機能を識別するための、少なくとも１つのラベルのインジケータ部分の表示のために確保された、対向する側部周辺縁部を含む、請求項１１に記載の送信機。
【請求項１７】
前記レイアウトの前記複数の向きのそれぞれにおいて、少なくとも１つのラベルが、前記表示画面の上側または下側周辺に配置される、請求項１１に記載の送信機。
【請求項１８】
ソフトウェア的に回転可能なコンテンツレイアウトを有するディスプレイアセンブリを有するプロセス制御送信機であって、
前記回転可能なコンテンツレイアウトを複数の構成で表示するように構成された表示画面と、
前記表示画面の近傍に固定的に配置された少なくとも１つの物理的ボタンと、
を備え、
前記表示レイアウトは、少なくとも１つのラベルを表示するために確保された上側周辺バンドおよび下側周辺バンドと、少なくとも１つのラベルに接続されたインジケータを表示するために確保された右側周辺バンドおよび左側周辺バンドと、追加のテキストを表示するために確保された第３の内部領域と、を含み、前記少なくとも１つのラベルは、前記表示画面の一側の近傍の物理的ボタンに視覚的に結び付けられ、
前記表示は、少なくとも１つのラベルが、複数の構成のそれぞれにおいて少なくとも１つの物理的ボタンに視覚的に結び付けられるように、コンテンツを閲覧方向に維持するように回転可能である、
プロセス制御送信機。
【請求項１９】
前記ボタンは、前記送信機の同じ面上の前記表示画面の近傍に配置され、前記レイアウトの複数の方向の各方向は、前記上側または下側バンドにおいて視認可能な前記少なくとも１つのラベルと、前記少なくとも１つの物理的ボタンが近傍に固定的に配置された前記ディスプレイの側面に関係なく、前記ボタンの機能を識別するために、前記ラベルが前記少なくとも１つの物理的ボタンに視覚的に結び付けられるように、前記右側または左側バンドにおいて視認可能な前記ラベルのインジケータと、を含む、請求項１８に記載の送信機。
【請求項２０】
前記ボタンは、前記送信機の異なる面上の前記表示画面の近傍に配置され、前記レイアウトの複数の方向の各方向は、前記上側または下側バンドにおいて視認可能な少なくとも１つのラベルと、前記送信機の向きにかかわらず、前記ボタンの機能を識別するために、前記ラベルが前記少なくとも１つの物理的ボタンに視覚的に結び付けられるように、前記右側または左側バンドにおいて視認可能な前記ラベルのインジケータと、を含む、請求項１８に記載の送信機。
【発明の詳細な説明】
【技術分野】
【０００１】
本発明は、電子デバイスにおいて使用するための視覚的ディスプレイアセンブリに関する。より具体的には、本発明は、プロセス制御送信機上のラベルなしディスプレイボタンに関連する、ディスプレイ上で視認可能なオンスクリーン（画面上）ラベルに関する。
【背景技術】
【０００２】
表示システムは、ユーザにコンテンツを提示するために、多くの電子デバイスの設計において顕著な役割を果たす。典型的には、コンテンツは、特定の閲覧方向から見ることが意図されている。表示システムは、特定の閲覧方向にコンテンツの向きが維持されるように、電子デバイスの回転に基づいてコンテンツ表示の方向を合わせるように構成され得る。
【０００３】
工業プロセスでは、オペレータがプロセスの動作に関する情報を得ることがしばしば必要である。「送信機」として知られる遠隔ユニットは、プロセスに結合され、プロセス変数（圧力、温度、流量など）に関連する情報を、目視検査のために送信機ディスプレイに送信する。送信機ディスプレイはまた、典型的には、遠隔ユニットとローカルに対話するための物理的ボタンをディスプレイの近傍に備える。
【０００４】
送信機はさまざまな向きで取り付けることができ、これは、表示画面とボタンとは、取り付けられる送信機の向きに基づいて送信機に取り付けられ、ユーザの向きに表示を提供する必要があることを意味する。ディスプレイアセンブリ全体は、物理的ボタンがディスプレイの表示コンテンツと同じ側に見出されることを保証するために、送信機電子機器とは物理的に独立して回転させることができ、これにより、対応するラベルの画面上の向きをわかりやすくする。あるいは、従来技術の送信機は、物理的なラベルがボタン自体に直接付与できるように、それぞれが単一の機能を有する固定された物理的なボタンを含む。
【発明の概要】
【課題を解決するための手段】
【０００５】
本開示の一態様は、プロセス制御送信機用のディスプレイアセンブリに関する。ディスプレイアセンブリは、ソフトウェア的に回転可能な視覚的レイアウトを有する表示画面であり、レイアウトは複数の構成を有する。ディスプレイアセンブリは、表示画面の一側の近傍の固定位置に少なくとも１つの物理的ボタンを有する。表示画面は、少なくとも１つのラベルを表示するために確保された第１の領域と、少なくとも１つのラベルに接続されたインジケータ（標示）を表示するために確保された第２の領域と、追加のテキストを表示するために確保された第３の領域とを有する。これらの領域は全体として視覚的レイアウトを形成する。レイアウトは、送信機および表示画面の位置的な向きにかかわらず、表示画面上の視覚的コンテンツを選択された閲覧方向に維持するように回転可能である。閲覧方向は、垂直軸に対する表示画面の位置に基づく、テキストの標準的な読み取りのための縦及び左から右の向きである。各構成では、各ラベルは、ボタンの機能を識別するために、少なくとも１つの物理的ボタンに視覚的に結び付けられる。
【０００６】
複数のレイアウトの各構成は、第１の領域に少なくとも１つのラベルを表示し、第２の領域に視認可能なインジケータを表示することで、ラベルを１つの物理的ボタンに視覚的に結び付ける。ラベルは、ボタンの機能を示す識別テキスト又は画像を含む。次いで、第３の領域は、プロセスおよび送信機機能の少なくとも一方の動作に対する追加のテキストまたは画像を表示することができる。
【０００７】
ディスプレイアセンブリは、プロセス制御送信機の電子回路基板に接続可能である。表示レイアウトおよびコンテンツの回転の少なくとも一方は、ソフトウェアによって制御される。
【０００８】
本開示の別の態様は、送信機上の１つ以上の物理的ボタンにラベルを提供するためのディスプレイアセンブリを有するプロセス制御送信機に関する。送信機は、送信機上に固定的に取り付けられ、送信機のための制御ソフトウェアに動作可能に接続されたディスプレイアセンブリを含む。ディスプレイアセンブリは、複数の向きに回転可能な視覚的レイアウトを提供するように構成された表示画面を有し、レイアウトは、１つ以上のラベルおよび情報コンテンツを表示するように構成される。ディスプレイアセンブリは、送信機上に支持された１つ以上の物理的ボタンに隣接して配置される。各ボタンは、表示画面上で視認可能な１つのラベルに視覚的に結び付けられ、ラベルおよびボタンが協働して、ユーザが送信機と対話することを可能にする。視覚的レイアウトは、表示画面上に表示される１つ以上のラベルがそれぞれ、１つ以上の物理的ボタンのうちの１つに視覚的に結び付けられるように、送信機の位置方向に基づいて変更可能であり、レイアウトは、送信機の位置方向にかかわらず、選択された閲覧方向に適合される。
【０００９】
表示画面は、物理的ボタンの位置に対して固定され、視覚的レイアウトは、ソフトウェアを介して回転可能であり、少なくとも１つの物理的ボタンへの少なくとも１つのラベルの視覚的結び付きを維持する。
【００１０】
本開示のさらに別の態様は、ソフトウェア的に回転可能なコンテンツレイアウトを有するディスプレイアセンブリを有するプロセス制御送信機に関する。送信機は、回転可能なコンテンツレイアウトを複数の構成で表示するように構成された表示画面と、表示画面の一側の近傍に固定的に配置された少なくとも１つの物理ボタンと、を含む。ディスプレイレイアウトは、少なくとも１つのラベルを表示するために確保された上側周辺バンドおよび下側周辺バンドと、少なくとも１つのラベルに接続されたインジケータを表示するために確保された右側バンドおよび左側バンドと、追加のテキストを表示するために確保された第３の内部領域とを有する。コンテンツレイアウトは、少なくとも１つのラベルが、前記複数の構成の各々において少なくとも１つの物理的ボタンに視覚的に結び付けられ、第３の領域において情報テキストが読めるように、選択された閲覧方向にコンテンツを維持するために回転可能である。
【図面の簡単な説明】
【００１１】
【図１】遠隔ユニットに動作可能に接続されたディスプレイアセンブリを示す図である。
【図２】ディスプレイアセンブリの表示画面上の視覚的コンテンツの第１の向きを示す。
【図３】ディスプレイアセンブリの第１の回転方向に対する、表示画面上の視覚的コンテンツの第２の方向を示す図である。
【図４】ディスプレイアセンブリの第２の回転方向に対する、表示画面上の視覚的コンテンツの第３の方向を示す。
【図５】ディスプレイアセンブリの第３の回転方向に対する、表示画面上の視覚的コンテンツの第４の方向を示す図である。
【図６】視覚的コンテンツのレイアウトを回転させるための表示画面を示す。
【図７】向きが回転され、レイアウトが対応して回転された、遠隔ユニット上のディスプレイアセンブリを示す。
【図８】ディスプレイアセンブリおよび関連するボタンの構成を示す。
【発明を実施するための形態】
【００１２】
ディスプレイアセンブリは、電子デバイスと共に使用するように構成される。ディスプレイアセンブリは、ユーザが電子デバイスおよびディスプレイアセンブリと対話することを可能にする、１つ以上の物理的ボタンに結び付けられた視覚的コンテンツを提供するための表示画面を備える。表示画面は、物理的ボタンに対して固定された向きでアセンブリ上に取り付けられる。表示画面に表示される視覚的コンテンツは、情報テキストと、物理的ボタンの機能を識別するためのラベルと、で構成される。ディスプレイアセンブリは、電子デバイスの任意の側に取り付けることができ、これは閲覧方向に対して表示画面の向きを変化させるが、表示画面上のラベルは、ラベルが物理的ボタンに視覚的にリンクされたままであるように、選択された閲覧方向に回転するように構成される。閲覧方向は、閲覧者に対する視覚的コンテンツの向きであってもよく、例えば、閲覧方向はテキストが縦方向に、左から右に向かう方向であってもよい。しかしながら、ディスプレイアセンブリは、閲覧方向が、コンテンツが左から右へ、または右から左へ向かう方向であるか否かにかかわらず、等しく良好に機能する。コンテンツの例としては、英数字テキストや、上から下に向かう方向のシンボルベースの言語が挙げられるが、これらに限定されない。
【００１３】
ディスプレイアセンブリの実施形態は、本明細書では、「送信機」とも呼ばれる、プロセス制御システム監視のための遠隔ユニットに関連して記載されるが、本明細書に記載されるディスプレイアセンブリは、電子回路基板と、その上で表示画面または視覚的コンテンツを回転させるためのソフトウェアプログラムと、を有する任意の電子デバイスと共に使用されてもよいことを理解されたい。
【００１４】
図１に示すように、ディスプレイアセンブリ１０は、電子デバイス１２と共に使用するように構成される。電子デバイスは、工業プロセスを監視するためのプロセス制御システムで使用するための送信機１２のような遠隔ユニットであってもよい。本明細書に図示されている実施形態では、プロセス制御送信機１２は、その上に一体的に取り付けられ、送信機１２の電子回路基板に接続されたディスプレイアセンブリ１０を有する。ディスプレイアセンブリ１０は、表示画面１４を備え、アセンブリは、送信機１２と対話するための１つ以上の物理的ボタン１６を支持する。ディスプレイアセンブリ１０は、第１の向きで送信機１２の電子回路基板に接続可能である。第１の向きは、固定された向きであってもよい。
【００１５】
ディスプレイアセンブリ１０は、正方形または長方形の表示画面１４を備えることができ、これらの画面は、送信機１２の高さ方向および幅方向に対して正面に（真っすぐ）配置することができ、または正方形または長方形のディスプレイ１４の側面が、送信機１２の高さ方向に対してある角度になるように配向させることができる。次いで、ディスプレイアセンブリは、送信機１２の任意の側面または面に取り付けることができる。一般に、表示画面１４上の文字又はテキストは、ディスプレイ１４の側辺に対して整列される。長尺の液晶セグメントを活性化して情報を伝えるＬＣＤ（液晶ディスプレイ）が使用されることが多い。一実施形態では、本発明は、液晶または発光ダイオード素子を使用して実施される。しかしながら、任意のディスプレイ技術を使用することができる。
【００１６】
表示画面１４は、情報テキスト２２及び１つ以上のラベル２４を含む様々なコンテンツを視覚的に表示するように構成される。ラベル２４は、ボタン１６に対応し、対応するボタン１６の機能または目的を全般的に識別するラベルである。ディスプレイアセンブリ１０のボタン１６は、各ボタン１６の機能または目的が送信機１２の動作状態に基づいて文脈的（contextual）であり得るので、物理的または永久的なラベルを有さない。
【００１７】
図２〜図６に示すように、表示画面１４は、視覚的レイアウト３０を表示する。表示画面１４は、ラベル２４を表示するために確保された第１の部分２６を含む。第１の部分２６は、表示画面１４の外周辺境界であってもよく、この外周辺は、表示画面１４の縁部によって画定される。次いで、表示画面１４の中央部分２８又は残りの部分は、情報テキスト２２のようなコンテンツを表示するように構成される。視覚的レイアウト３０は、ボタン１６を識別またはラベル付けし、同時に、表示画面１４の位置方向または表示アセンブリ１０の位置にかかわらず、情報テキスト２２の表示のための部分２８を提供する。すなわち、レイアウト３０は、画面１４およびアセンブリ１０の少なくとも一方を回転させることによって変更可能である。さらに、中央部分２８は、ディスプレイ１４が回転される際、またはディスプレイアセンブリ１０が取り付けられる送信機１２の側面にかかわらず、情報テキストのサイズおよび向きを保持する。従って、視覚的レイアウト３０は、表示画面１４の方向及び物理的ボタン１６との関係にかかわらず、選択された閲覧方向と一致したままである。
【００１８】
図６にさらに詳細に示すように、図２〜図５に示すような視覚的レイアウト３０の種々の構成を達成するために、表示画面１４の第１の部分２６が、ラベル２４を表示するために確保されている。第１の部分２６は、２つの区分３２及び３４を含み、第１の区分３２は、表示画面１４の対向する縁部上のバンドであり、例えば、第１の区分は、表示画面１４の上縁部３１及び下縁部３３上のバンドを含む。第２の区分３４は、バンド３２に隣接する対向する縁部３５および３６上、例えば側縁３５および３６上に配置される第２バンド３４である。第２の区分３４は、狭いバンド３４であることが好ましく、これは第２のバンド３４の幅が第１のバンド３２の幅よりも小さいことを意味する。第２のバンド３４は、ラベル２４を対応するボタン１６に視覚的に結び付ける、各ラベルから延びるインジケータ３８を表示するために確保されている。第１のバンド３２は、テキスト及び画像であってもよいラベル情報を含むラベル２４を表示する。
【００１９】
図に示される実施形態に示されるように、ラベル２４は、ボタン１６が配置される表示画面１４の側面に最も近い、表示画面の対向する角部に配置される。さらに、インジケータ３８の周りに、ボタン１６と共有される画面１４の縁部に流れるボックスを描くことができる。したがって、ラベル２４およびインジケータ３８の位置は、表示画面１４の閲覧方向に応じて、表示画面の外周を移動可能である。ラベル２４及びインジケータ３８は、情報テキストのための中央部分２８と共に、物理的ボタン１６へのラベル２４の視覚的な結び付きを維持しながら、縦及び水平の閲覧方向に情報を維持する、回転可能な視覚的レイアウト３８を提供する。
【００２０】
本明細書に図示される実施形態は、概して正方形の表示画面を示すが、レイアウトは、任意の形状の表示画面、または表示画面上のコンテンツの回転が対応するソフトウェアによって制御される任意の表示画面に適合され、使用され得る。
【００２１】
視覚的レイアウト３０の閲覧方向の一貫性は、送信機１２を使用するときのユーザの混乱およびエラーの少なくとも一方を低減する。回転可能な視覚的レイアウト３０はまた、表示画面のデッドスペースを最小化し、これは、ユーザの経験、及び、表示アセンブリ１０及び送信機１２の少なくとも一方との対話の容易さを改善する。視覚的レイアウト３０は、レイアウト３０の向きにかかわらず、ラベル２４が、対応するボタン１６の機能の意味のあるテキストまたはインジケータを表示するのに十分なサイズを保持することを可能にする。さらに、表示画面１４および対応するレイアウト３０の回転は、図２〜図７に示すように、ラベル２４上のテキストが垂直および水平のままである（例えば、縦方向に「左から右」に読む）ように、テキストの垂直シフトを回避する。
【００２２】
送信機１２は、使用時に複数の異なる方向に取り付けることができる。さらに、ディスプレイアセンブリ１０は、送信機１２の任意の面に取り付けることができる。複数の向きへの取り付けは、コンテンツ２２を閲覧方向に維持するために、表示画面１４の向きがユーザによって変更可能であることを必要とする。図７に図示されているように、送信機１２が設置のために回転されると、表示画面１４はラベル２４を含む視覚的レイアウト３０を回転させる。これにより、ラベル２４は、ディスプレイアセンブリ１０又は装置１２の向きに関係なく、ユーザが読み取り可能な向きでボタン１６に継続的に対応することができる。
【００２３】
本明細書に記載するディスプレイアセンブリ１０において、例えば地表面に対するディスプレイアセンブリ１０の向き、即ち表示画面１４の向きは、地表面に対する垂直軸に対してオフセットまたは回転される閲覧方向を有してもよい。図１および図７の矢印「Ｈ」によって、送信機１２およびディスプレイアセンブリ１０に対する垂直軸が図示されている。一実施形態では、ボタン１６は表示画面１４のすぐ隣に配置されている。例えば、ディスプレイアセンブリ１０は、閲覧方向に関してＬＣＤ画面の下にボタン１６を含むことができ、ディスプレイアセンブリ１０は、ボタン１６がＬＣＤ画面の上部に配置されるよう、表示画面１４が閲覧方向に対して「逆さま」に取り付けられるように、装置１２に取り付けられることができる。本明細書の実施形態によるレイアウト３０は、物理的ボタン１６へのラベル２４の視覚的な結び付きを維持しながら、閲覧方向に対して縦向き、水平な向きにラベルテキストを維持する。
【００２４】
ボタン１６は装置１２に一体化されることができ、装置１２の第１の側面又は面５０上の凹んだ位置に配置することができる。次いで、表示画面１４は、装置１２の第２の側面又は面５２上に配置される。側面５０、５２は、装置１２の全体として隣接する側面であり、表示画面１４のラベル２４が、本明細書に記載されるものと実質的に同じ方法でボタン１６に視覚的に結び付けられるようにする。図８に図示するように、ディスプレイアセンブリ１０は、装置１２の上部側面５０上に位置するボタン１６と、装置１２の前面５２上に位置する表示画面１４と、を含む。ディスプレイアセンブリ１０は、表示画面１４とは異なる装置１２の側面または面に、動作可能に装置１２に固定されたボタン１６を含むことができる。ボタン１６および表示画面１４は、表示画面１４上のラベル２４および対応するインジケータ３８が、物理的ボタン１６へのラベル２４の視覚的な結び付きを提供し、維持するように配置される。レイアウト３０は、ソフトウェアを介して回転可能であり、ディスプレイアセンブリ１０または装置１２の向き、または表示画面１４に対するボタン１６の位置にかかわらず、ラベル２４が、ユーザが読み取り可能な向きでボタン１６に継続的に対応することを可能にする。
【００２５】
本発明のディスプレイは特定の送信器構成とともに示されているが、ディスプレイは、情報を表示することが望ましい他のプロセス制御装置（制御要素などの現場に配置されている任意のプロセス装置を含む）とともに使用することができる。本発明は、ディスプレイアセンブリの面上で利用可能なスペースを効率的に利用する。プロセス装置上に情報を表示するための外部空間は限られている。本明細書に記載されるディスプレイアセンブリは、典型的な従来技術の設計での場合よりも、さらなるデータが表示されること、またはより読みやすい形式で表示されることを可能にする。
【００２６】
図１に戻って参照すると、送信機１２は、ハウジング４２と、プロセス配管４６に結合するプロセス結合部４４と、を含んでもよい。図１に図示された配置では、ディスプレイアセンブリ１０は、物理的ボタン１６が送信機の高さ方向に従って第１の位置でディスプレイスクリーン１４の上方に配置されるように方向付けられる。図７に示す構成では、物理的ボタン１６が送信機の高さ方向に沿って第２の位置で表示画面１４の一方の側（例えば、左側）に配置されるように、送信機が回転され、したがってディスプレイアセンブリ１０が回転される。このレイアウトは、インジケータ３８を有するラベルの、ボタン１６への視覚的な接続を維持するために回転される。
【００２７】
さらに詳細には、一実施形態では、ディスプレイアセンブリ１０は、送信機１２の電子回路基板に動作可能に接続され、ディスプレイアセンブリ１０の動作は、送信機１２の動作ソフトウェアによって制御される。動作ソフトウェアは、表示画面１４上の情報テキストおよびラベルを含むがこれらに限定されない、グラフィックスを描画および表示するための様々な既知のソフトウェアコンポーネントを含むグラフィックモジュールを含む。グラフィックモジュールは、物理的ボタンの機能に関連して画面上に表示されるテキストおよび画像を変更し、送信機１２上のディスプレイアセンブリ１０の向きに基づいて画像およびテキストの少なくとも一方の向きを変更するための構成要素を備える。
【００２８】
表示画面１４は、グラフィックスモジュールを介して描画される、送信機１２のソフトウェアによって生成される出力を示すハードウェア構成要素であり、表示画面１４は、異なる回転設定に対して一貫した視覚的レイアウト３０を提供するように構成可能である。一般に、レイアウトは表示画面の角部にラベルを含み、ラベルは、表示画面の対向する上側角部、対向する下側角部、または隣接する上側角部および下側角部に配置される。各ラベルは、ラベルとの接続部から離れる角度で延びる、対応するインジケータを有し、インジケータは、ラベルをそれぞれの物理的ボタンに視覚的に結び付ける。
【００２９】
本開示は、好ましい実施形態を参照して説明されてきたが、当業者は、本開示の精神および範囲から逸脱することなく、形態および詳細において変更がなされ得ることを認識するであろう。
【図１】
2022500701.tif 000003
【図２】
2022500701.tif 000004
【図３】
2022500701.tif 000005
【図４】
2022500701.tif 000006
【図５】
2022500701.tif 000007
【図６】
2022500701.tif 000008
【図７】
2022500701.tif 000009
【図８】
2022500701.tif 000010
【国際調査報告】
2022500701.tif 000011
2022500701.tif 000012